(57)【要約】【課題】構造が比較的簡単且つ安価であって、使用するのが容易であり、供給される物質の量を変化させることを可能にするような包装及びディスペンサ装置を提供する。【解決手段】本発明は、特に頭髪及び／又は頭皮に化粧及び／又は手入れ製品を供給するための包装及びディスペンサ装置に関する。本装置は、ベローズ（６）を含む容器を有し、上記ベローズは該ベローズが圧縮される場合に互いに向かって移動する第１及び第２領域を有する。圧縮される際に、上記ベローズは一定量の物質が供給されるのを可能にする。本装置は、上記ベローズの圧縮行程を、従って供給される物質の量を変更するための調整部材も有している。本装置は、上記ベローズがユーザにより該ベローズの略軸上に発生される押し力により圧縮されるように構成されている。【選択図】図２
2006043470.tif 000002
【特許請求の範囲】
【請求項１】
特に頭髪及び／又は頭皮に化粧及び／又は手入れ製品を供給するための包装及びディスペンサ装置であって、該装置が、
第１及び第２領域を有するベローズ（６；２０６；４０６；５０６）を含む容器であって、これら領域は上記ベローズの圧縮の間に互いに向かって移動し、上記ベローズが軸方向に圧縮されることにより一定量の物質が供給されるのを可能にするような容器と、
前記ベローズの圧縮行程を、従って供給される前記物質の量を調整する調整部材と、
の両方を含むような装置において、
前記ベローズが、ユーザより該ベローズの軸に略沿って発生される押し力により圧縮されるように構成されていることを特徴とする包装及びディスペンサ装置。
【請求項２】
請求項１に記載の装置において、
前記調整部材（３０；１３０；２３０；４３０；５３０）は前記ベローズの圧縮の間に前記第１領域（６ａ；２０６ａ；４０６ａ；５０６ａ）と一緒に移動し、
前記調整部材は、少なくとも前記ベローズが圧縮されている間において、該ベローズの第２領域（６ｂ；２０６ｂ；４０６ｂ；５０６ｂ）に対して静止的な当接形成面（５９；２１０；Ｍ；Ｉ；４１０；４０６）に接触するのに適した係止面（４２；２４２；４４２；５４２）を含み、
これにより、前記ベローズの最大圧縮行程を決定し、
前記調整部材は当該装置上に、前記係止面（４２；２４２；４４２；５４２）の軸方向位置を、供給されるべき前記物質の量に応じて前記ベローズを圧縮する前に変更することができるように取り付けられていることを特徴とする装置。
【請求項３】
請求項１又は請求項２に記載の装置において、該装置は、
ディスペンサ端部部品と、
前記ベローズ（６）の両端側に各々位置する第１及び第２の支え面（５１及び３）であって、これら支え面を互いに向かって移動させて前記ベローズを圧縮するように、ユーザが前記容器の軸（Ｘ）に沿って圧力を発生させるのを可能にするような第１及び第２の支え面と、
を含み、
前記第１の支え面は前記ディスペンサ端部部品（５０）上か、又は該端部部品の近傍に配置され、これによりユーザは一方の手で当該装置を保持しながら、且つ、上記手を前記物質が供給されるべき表面に接触させながら前記物質を供給することができるようにすることを特徴とする装置。
【請求項４】
請求項１ないし３の何れか一項に記載の装置において、前記ベローズが括れ部（４；２０４；４０４；５０４）を介して瓶体（２；２０２；４０２；５０２）と連通していることを特徴とする装置。
【請求項５】
請求項４に記載の装置において、前記ベローズが前記瓶体と一体に形成されていることを特徴とする装置。
【請求項６】
請求項１ないし５の何れか一項に記載の装置において、前記ベローズの軸が前記瓶体の軸と一致していることを特徴とする装置。
【請求項７】
請求項１ないし６の何れか一項に記載の装置において、前記ベローズが非圧縮状態にある場合に、前記瓶体の容積が前記ベローズの容積より少なくとも１０倍大きいことを特徴とする装置。
【請求項８】
請求項１ないし７の何れか一項に記載の装置において、前記調整部材を当該装置上に、前記ベローズの最大圧縮行程（ｄ）が連続的に調整されるのを可能とするように固定する手段を含んでいることを特徴とする装置。
【請求項９】
請求項８に記載の装置において、前記固定する手段がネジ山を有していることを特徴とする装置。
【請求項１０】
請求項１ないし９の何れか一項に記載の装置において、前記容器がネジ山を有し、前記調整部材が該ネジ山に螺合されることを特徴とする装置。
【請求項１１】
請求項１０に記載の装置において、前記ネジ山が前記容器の首部に形成されていることを特徴とする装置。
【請求項１２】
請求項８ないし１０の何れか一項に記載の装置において、前記ネジ山が前記容器に嵌着される部品上に形成されることを特徴とする装置。
【請求項１３】
請求項８ない１２の何れか一項に記載の装置において、該装置は帯部（２２；１４０）を含み、前記調整部材は該調整部材が前記容器に螺合される場合に前記帯部上を弾性的に通過するのに適した少なくとも１つの突出部を有し、前記帯部は前記調整部材が完全にネジ抜きされるのを防止するような形状とされていることを特徴とする装置。
【請求項１４】
請求項２に記載の装置であって、任意選択的に請求項３ないし７の何れか一項に記載するような装置において、該装置は前記ベローズの第１領域に対して異なるレベルに位置する一連の突出部を有し、前記調整部材は、該調整部材が前記ベローズの第１領域に対して所定の軸方向位置にある場合に、前記突出部と共動して該調整部材が軸方向に移動するのを防止するのに適した少なくとも１つの位置決め要素を有していることを特徴とする装置。
【請求項１５】
請求項１４に記載の装置において、前記突出部は互いの間に溝（４７６；５９３）を残存させるような一連のリブにより構成され、これら溝が前記位置決め要素（４３３；５３２）を受け入れるのに適していることを特徴とする装置。
【請求項１６】
請求項１５に記載の装置において、前記溝の各々は前記容器の軸の廻りにおいて限られた角度範囲にわたり延在し、前記調整部材の前記位置決め要素は、該位置決め要素が前記容器の軸の廻りに回転されることにより前記リブの間に形成された前記溝から外れるのを可能にするように選択された角度範囲にわたり延在し、これにより前記調整部材の軸方向位置、従って前記ベローズが圧縮された場合に供給される前記物質の量を変更することが可能となるようにすることを特徴とする装置。
【請求項１７】
請求項１４に記載の装置において、前記突出部が前記容器に嵌着される部品上に形成されることを特徴とする装置。
【請求項１８】
請求項１４に記載の装置において、前記突出部は前記容器が鋳型形成される間に形成されることを特徴とする装置。
【請求項１９】
請求項２に記載の装置であって、任意選択的に請求項３ないし１８の何れか一項に記載の装置において、前記当接形成面（５９；２１０；４１０；５０６）が当該装置の一部により規定されることを特徴とする装置。
【請求項２０】
請求項１９に記載の装置において、前記当接形成面が前記容器の横壁により規定されることを特徴とする装置。
【請求項２１】
請求項１９又は請求項２０に記載の装置において、前記当接形成面（５９）が前記容器内に位置することを特徴とする装置。
【請求項２２】
請求項２１に記載の装置において、前記調整部材は、前記ベローズ内に延在し、該ベローズが圧縮された場合に前記当接形成面に接触するのに適した延長部を有していることを特徴とする装置。
【請求項２３】
請求項２２に記載の装置において、前記延長部は、前記容器の前記首部に漏れ防止態様で接する内側封止スカートの底部により構成されることを特徴とする装置。
【請求項２４】
請求項２０に記載の装置において、前記当接形成面は、前記ベローズを接続する横壁により規定されていることを特徴とする装置。
【請求項２５】
請求項２に記載の装置であって、任意選択的に請求項３ないし２０の何れか一項に記載の装置において、前記当接形成面が前記容器の外側表面の一部により規定されることを特徴とする装置。
【請求項２６】
請求項２５に記載の装置において、前記当接形成面が前記ベローズ（５０６）の折り畳み部により規定されることを特徴とする装置。
【請求項２７】
請求項２６に記載の装置において、前記ベローズ（５０６）は楕円形断面のものであり、前記調整部材は、前記係止面を規定し、当該調整部材の前記容器に対する所定の角度位置において前記ベローズの折り畳み部に接触するのに適し、且つ、当該調整部材の前記容器に対する他の所定の角度位置においては前記ベローズの折り畳み部の間を自由に移動するのに適した少なくとも１つの突出部（５３６）を有していることを特徴とする装置。
【請求項２８】
請求項２５ないし２７の何れか一項に記載の装置において、前記調整部材は前記容器の外側に位置すると共に前記係止面を規定する壁を有していることを特徴とする装置。
【請求項２９】
請求項２８に記載の装置において、前記壁は前記ベローズが圧縮された状態にある場合の該ベローズの直径より大きな内径の筒状スカートにより構成され、該スカートは前記ベローズが接続される前記容器の横壁に接触するのに適していることを特徴とする装置。
【請求項３０】
請求項１ないし２９の何れか一項に記載の装置において、前記調整部材は前記容器の一部（５０２）に、貯蔵の間に前記ベローズを圧縮された状態に保持するように結合するのに適していることを特徴とする装置。
【請求項３１】
請求項３０に記載の装置において、前記調整部材は前記容器の前記一部にスナップ固定するのに適した止め部を有していることを特徴とする装置。
【請求項３２】
請求項３１に記載の装置において、前記調整部材は円形でない径方向外側縁を持つ前記容器の一部にスナップ固定するのに適しており、これにより前記調整部材が前記容器に対して回転された場合に当該調整部材が前記容器の前記一部から外れるのを可能にすることを特徴とする装置。
【請求項３３】
請求項１ないし３２の何れか一項に記載の装置において、該装置が前記調整部材により担持されたディスペンサ端部部品を含んでいることを特徴とする装置。
【請求項３４】
請求項３３に記載の装置において、前記調整部材は前記容器に含まれる前記物質が前記ディスペンサ端部部品に到達するのを可能にする通路を有していることを特徴とする装置。
【請求項３５】
請求項３３又は請求項３４に記載の装置において、前記ディスペンサ端部部品が前記調整部材上にヒンジ結合されていることを特徴とする装置。
【請求項３６】
請求項３５に記載の装置において、前記調整部材は前記端部部品が該調整部材に対して第１位置にある場合に前記端部部品の物質吐出口オリフィスが覆われるのを可能にする周壁を有し、前記端部部品は、ユーザが該端部部品を押した場合に傾動することができ、これにより前記吐出口オリフィスが前記調整部材の前記周壁により最早覆われないような第２位置をとるようにすることを特徴とする装置。
【請求項３７】
請求項３３又は請求項３４に記載の装置において、前記ディスペンサ端部部品は、該ディスペンサ端部部品が前記調整部材に対して軸方向に移動するのを可能にする変形可能な壁（１６１；４５５）に固定されていることを特徴とする装置。
【請求項３８】
請求項３７に記載の装置において、前記変形可能な壁が段状の筒体の形状であることを特徴とする装置。
【請求項３９】
請求項３７又は請求項３８に記載の装置において、前記端部部品は、前記調整部材に対して移動する場合に、当該装置が使用されていない場合に前記容器の内側を外部から隔離するように配置されたプラグ（１７０；４５６）を移動させることを特徴とする装置。
【請求項４０】
請求項１ないし３９の何れか一項に記載の装置において、
ディスペンサ端部部品と、
前記ベローズ（６）の両端側に各々位置する第１及び第２の支え面（５１及び３）であって、これら支え面を互いに向かって移動させて前記ベローズを圧縮するように、ユーザが前記容器の軸（Ｘ）に沿って圧力を発生させるのを可能にするような第１及び第２の支え面と、
を更に有し、
前記ディスペンサ端部部品が、当該装置の側部の前記第１の支え面の近傍に位置する吐出口オリフィスを有していることを特徴とする装置。
【請求項４１】
請求項１ないし４０の何れか一項に記載の装置において、前記ベローズの圧縮行程を、従って供給される前記物質の量を連続的に変化させる調整部材を有していることを特徴とする装置。
【請求項４２】
請求項１ないし４１の何れか一項に記載の装置において、当該装置が弁を有していないことを特徴とする装置。
【請求項４３】
請求項１ないし４２の何れか一項に記載の装置において、当該装置は、ユーザが親指により押し力を発生することにより前記ベローズが圧縮されるように構成されていることを特徴とする装置。
【請求項４４】
請求項１ないし４３の何れか一項に記載の装置の、頭髪に施す物質を供給するための倒置位置での使用。
【発明の詳細な説明】
【技術分野】
【０００１】
本発明は、特に化粧製品及び／又は手入れ製品のような物質を包装し及び供給する装置に係り、更に詳細には物質を頭髪及び／又は頭皮に供給する装置に関する。
【背景技術】
【０００２】
フランス国特許出願第FR-A-2 684 569号は、ベローズ（蛇腹）を含む容器と該容器に対して移動可能な押し具とを有し、上記ベローズが圧縮されるようにして一定量の物質が供給されるようにした包装及びディスペンサ装置を開示している。
【０００３】
ユーザは親指及び人差し指を使用し、上記押し具に向かって上記ベローズの軸に対し垂直に延びる方向に押しつけることにより該ベローズを圧縮する。
【発明の開示】
【発明が解決しようとする課題】
【０００４】
上記装置の構造は、押し具を使用するため比較的複雑である。
【０００５】
加えて、上記装置が破壊分離部分を備えるディスペンサ端部部品を含む場合、出願人には、物質を頭髪の根元に供給し、従って上記端部部品が頭皮に接触するのが心地よくないということが分かった。何故なら、上記破壊分離部分が一旦取り除かれると、上記端部部品は鋭いエッジを有する可能性があり、これらエッジが頭皮を引っ掻き又は頭髪に引っ掛かり得るからである。
【０００６】
また、斯様な装置ではユーザにとり上記端部部品と頭皮との間の距離を正確に制御し、又は頭髪に形成された分け目等の所定の経路に追従させることが比較的困難である。
【課題を解決するための手段】
【０００７】
本発明の目的は、特に化粧製品及び／又は手入れ製品を特に頭髪及び／又は頭皮に供給することを意図する包装及びディスペンサ装置であって、構造が比較的簡単且つ安価であって、使用するのが容易であり、供給される物質の量を変化させることを可能にするような包装及びディスペンサ装置を提供することにある。
【０００８】
本発明による包装及びディスペンサ装置は、軸方向に圧縮されることにより一定量の物質が供給されるのを可能にするようなベローズを含む容器を有し、上記ベローズは該ベローズが圧縮される間に互いに向かって移動する第１及び第２領域を有し、当該装置が上記ベローズの圧縮行程を、従って供給される前記物質の量を調整するような調整部材を含み、当該装置が、上記ベローズの圧縮がユーザより該ベローズの軸に略沿って発生される押し力の結果であるように構成されていることを特徴とする。
【０００９】
好ましくは、上記調整部材は前記ベローズの圧縮の間に前記第１領域と一緒に移動し、前記調整部材は、少なくとも前記ベローズが圧縮されている間に、該ベローズの第２領域に対して静止的な当接形成面に接触するのに適した係止面を含み、これにより、前記ベローズの最大圧縮行程を決定し、前記調整部材は当該装置上に、前記係止面の軸方向位置を、供給されるべき前記物質の量に応じて前記ベローズを圧縮する前に変更することができるように取り付けられるものとする。
【００１０】
本発明によれば、ユーザは供給されるべき物質の量を容易に且つ再現性を以って選択することができ、その際に、依然として装置は製造するのが比較的簡単で且つ安価なままである。
【００１１】
上記ベローズは、好ましくは、括れ部を介して瓶体と連通するようにする。
【００１２】
斯様な括れ部は当該装置を保持するのを容易にし、ディスペンサ端部部品がこれを可能にする場合は、親指で上記ベローズの一方の端部に、中指及び人差し指で該ベローズの他方の端部に押し力を発生させることにより上記ベローズが圧縮されるようにすることが可能となり、中指及び人差し指は上記括れ部の廻りの腰部に係合されることになる。
【００１３】
このように、好ましくは、当該装置は前記ベローズの両端側に各々位置する第１及び第２の支え面であって、これら支え面を互いに向かって移動させて前記ベローズを圧縮するように、ユーザが前記容器の軸に沿って圧力を発生させるのを可能にするような第１及び第２の支え面を含むものとし、上記第１の支え面は前記ディスペンサ端部部品上か、又は該端部部品の近傍に配置され、これによりユーザは一方の手で当該装置を保持しながら前記物質を供給することができ、同時に上記手を前記物質が供給されるべき表面に接触させることができる。
【００１４】
即ち、この構成はユーザが手をディスペンサ端部部品と手入れされるべき表面との間の距離を制御するのに用いると共に、上記端部部品が上記表面に押しつけられる圧力を制御するのに使用するのを容易にする。
【００１５】
このように、ユーザは、手入れされるべき表面に端部部品が接触することなく、単に手の、好ましくは親指の助けのみにより上記端部部品を手入れされるべき表面に沿って正確に移動させることができる。
【００１６】
また、ユーザは、手入れされるべき表面に上記物質を供給する前に、該物質を他方の手に供給することができる。
【００１７】
更に、破壊分離式の端部部品を使用する場合は、ユーザは該端部部品と手入れされるべき表面との間の接触を避けることができる。
【００１８】
前記ベローズは、好ましくは、前記瓶体と一体に形成されるものとする。
【００１９】
また、好ましくは、前記ベローズの軸は前記瓶体の軸と一致させることができる。
【００２０】
前記ベローズが非圧縮状態にある場合に、前記瓶体の容積は前記ベローズの容積より少なくとも１０倍大きいものとすることができる。
【００２１】
本装置は、前記調整部材を当該装置上に、前記ベローズの最大圧縮行程が連続的に調整されるのを可能とするように固定する手段を含むことができる。
【００２２】
この手段は、上記容器の首部上に又は該容器に嵌着された部品上に形成されたネジ山を有することができる。
【００２３】
ネジ山が使用される場合、本装置は好ましくは帯部を含み、前記調整部材は該調整部材が前記容器に螺合される場合に前記帯部上を弾性的に通過するのに適した少なくとも１つの突出部（portion in relief）を有し、前記帯部は前記調整部材が完全にネジ抜きされるのを防止するような形状とされるものとする。
【００２４】
また、本装置は前記ベローズの第１領域に対して異なるレベルに位置する一連の突出部を含むことができ、前記調整部材は、該調整部材が前記ベローズの第１領域に対して所定の軸方向位置にある場合に、前記突出部と共動して該調整部材が軸方向に移動するのを防止するのに適した少なくとも１つの位置決め要素を有することができる。
【００２５】
斯様な突出部は、それらの間に溝を残存させるような一連のリブにより構成することができ、上記溝内に前記位置決め要素は係合することができる。
【００２６】
特別な実施例においては、上記溝の各々は前記容器の軸の廻りにおいて限られた角度範囲にわたり延在し、前記調整部材の前記位置決め要素は、該位置決め要素が前記容器の軸の廻りに回転されることにより前記リブの間に形成された前記溝から外れるのを可能にするように選択された角度範囲にわたり延在し、これにより前記調整部材の軸方向位置、従って前記ベローズが圧縮された場合に供給される前記物質の量を変更することが可能となるようにする。
【００２７】
前記突出部は、前記容器に嵌着される部品上に形成することができる。
【００２８】
変形例においては、前記突出部は前記容器が鋳型形成される間に形成することができる。
【００２９】
本発明の一実施例においては、前記当接形成面は当該装置の一部により規定される。
【００３０】
特に、上記当接形成面は前記容器の横壁により規定することができる。
【００３１】
また、上記当接形成面は前記容器内に位置することもできる。
【００３２】
このような状況下では、特別な実施例においては、前記調整部材は、前記ベローズ内に延在し、該ベローズが圧縮された場合に前記当接形成面に接触するのに適した延長部を含む。
【００３３】
好ましくは、上記延長部は、前記容器の首部に漏れ防止態様で接する内側封止スカートの底部により構成されるようにする。
【００３４】
特に、上記当接形成面は、前記ベローズが接続される横壁により規定することができる。
【００３５】
本発明の特別な実施例においては、上記当接形成面は前記容器の外側表面の一部により規定される。
【００３６】
本発明の他の特別な実施例においては、上記当接形成面は前記ベローズの折り畳み部により規定される。
【００３７】
斯様な状況下では、前記ベローズは有利には楕円形断面のものであり、前記調整部材は、前記係止面を規定し、当該調整部材の前記容器に対する所定の角度位置において前記ベローズの折り畳み部に接触するのに適し、且つ、当該調整部材の前記容器に対する他の所定の角度位置においては前記ベローズの折り畳み部の間を自由に移動するのに適した少なくとも１つの突出部を有している。
【００３８】
特別な実施例においては、前記調整部材は前記容器の外側に位置すると共に前記係止面を規定する壁を有している。
【００３９】
好ましくは、上記壁は前記ベローズが圧縮された状態にある場合の該ベローズの直径より大きな内径の筒状スカートにより構成され、該スカートは前記ベローズが接続される前記容器の横壁に接触するのに適しているものとする。
【００４０】
特別な実施例においては、前記調整部材は前記容器の一部に、貯蔵の間において前記ベローズを圧縮された状態に保持するように結合するのに適しており、これにより包装を容易にする。
【００４１】
好ましくは、前記調整部材は前記容器の上記一部にスナップ固定するのに適した止め部を有し、これにより製造を単純化する。
【００４２】
特別な実施例においては、前記調整部材は円形でない径方向外側縁を持つ前記容器の一部にスナップ固定するのに適しており、これにより前記調整部材を前記容器に対して回転することによって当該調整部材が前記容器の上記一部から外れるのを可能にする。
【００４３】
本装置は、好ましくは、前記調整部材により担持されたディスペンサ端部部品を含むものとする。
【００４４】
この場合、前記調整部材は、有利には、前記容器に含まれる物質が前記ディスペンサ端部部品に到達するのを可能にする通路を有するものとする。
【００４５】
上記ディスペンサ端部部品は、前記調整部材上にヒンジ結合することができる。
【００４６】
斯様な状況下では、前記調整部材は、好ましくは、前記端部部品が該調整部材に対して第１位置にある場合に、該端部部品から物質を送出するための吐出口オリフィスを覆うように作用する周壁を有し、前記端部部品は、ユーザが該端部部品を押した場合に傾動することができ、これにより前記吐出口オリフィスが前記調整部材の前記周壁により最早覆われないような第２位置をとるようにする。
【００４７】
変形実施例においては、前記ディスペンサ端部部品は、該ディスペンサ端部部品が前記調整部材に対して軸方向に移動するのを可能にするような変形可能な壁に固定される。
【００４８】
好ましくは、上記変形可能な壁は段状の筒体の形状であるとする。
【００４９】
また、好ましくは、前記端部部品は前記調整部材に対して移動する間にプラグを駆動するようにし、該プラグは当該装置が使用されていない場合に前記容器の内側を外部から隔離するように配置される。
【００５０】
また、本発明は、軸方向に圧縮されることにより一定量の物質が供給されるのを可能にするようなベローズを含む容器と、上記ベローズの圧縮行程を、従って供給される前記物質の量を変更する調整部材との両方を含むような包装及びディスペンサ装置であって、当該装置が更にディスペンサ端部部品と、前記ベローズの両端側に各々位置する第１及び第２の支え面であって、これら支え面を互いに向かって移動させて前記ベローズを圧縮するようにユーザが前記容器の軸に沿って圧力を発生させるのを可能にするような第１及び第２の支え面とを更に有し、上記ディスペンサ端部部品が、当該装置の側部の上記第１の支え面の近傍に位置する吐出口オリフィスを有していることを特徴とするような装置を提供する。
【００５１】
また、本発明は、軸方向に圧縮されることにより一定量の物質が供給されるのを可能にするようなベローズを含む容器と、上記ベローズの圧縮行程を、従って供給される前記物質の量を調整する調整部材との両方を含むような包装及びディスペンサ装置であって、該装置が、前記ベローズが該ベローズ上にユーザが発生する押し力により圧縮されるように構成されていることを特徴とするような装置を提供する。
【００５２】
また、本発明は、軸方向に圧縮されることにより一定量の物質が供給されるのを可能にするようなベローズを含む容器と、上記ベローズの圧縮行程を、従って供給される前記物質の量を変更する調整部材との両方を含むような包装及びディスペンサ装置であって、該装置が、前記ベローズがユーザにより該ベローズ上に発生される軸方向押し力により圧縮され、該ベローズが括れ部を介して瓶体に連通するように構成されることを特徴とする装置を提供する。
【００５３】
また、本発明は、軸方向に圧縮されることにより一定量の物質が供給されるのを可能にするようなベローズを含む容器と、上記ベローズの圧縮行程を、従って供給される前記物質の量を変更する調整部材との両方を含むような包装及びディスペンサ装置であって、該装置が前記ベローズの軸に略沿ってユーザが発生する押し力により該ベローズが圧縮されるように構成され、該装置が弁を有していないことを特徴とするような装置を提供する。
【００５４】
また、本発明は、軸方向に圧縮されることにより一定量の物質が供給されるのを可能にするようなベローズを含む容器と、上記ベローズの圧縮行程を、従って供給される前記物質の量を変更する調整部材との両方を含むような包装及びディスペンサ装置であって、該装置が、親指によりユーザが押し力を発生することにより前記ベローズが圧縮されるように構成されていることを特徴とする装置を提供する。
【発明を実施するための最良の形態】
【００５５】
本発明は、非限定的な実施例に関する下記詳細な説明を精読し、且つ、添付図面を精査することにより、より一層理解されるであろう。
【００５６】
図１及び図２に示す包装及びディスペンサ装置１は、底部に瓶体２を有し、上部に軸Ｘの廻りの形状記憶ベローズ（蛇腹）６を有し、且つこれら両者間に括れ部４を備えるような容器を有している。
【００５７】
ベローズ６は、以下に詳述するように、一定量の物質を供給するための可変容量の内部空間５を規定している。
【００５８】
瓶体２は物質Ａを含み、該物質は高粘度若しくは低粘度の液体、又は半液体（semiliquid）であってもよい。
【００５９】
記載された実施例においては、物質Ａはシャンプ、又は頭髪若しくは頭皮に使用するための他の物質により構成されている。
【００６０】
ベローズ６の頂部は第１領域６ａを介して横壁８に接続され、該横壁は軸Ｘの周りの首部１４により上方に延長されている。
【００６１】
ベローズ６の底部は第２領域６ｂを介して、前記括れ部５を上方に延長する横壁９に接続されている。
【００６２】
記載した例においては、ベローズ６は横壁８及び９の略中間に位置する１つの折り畳み部を有している。
【００６３】
ベローズ６の壁部は、横壁８及び９より薄い厚さとなっている。
【００６４】
上記横壁９と相俟って、瓶体２は括れ部４の環状腰部１２を規定し、該腰部は図２に示すようにユーザの中指Ｍ及び人差し指Ｉを受け入れるのに適したものとなっている。
【００６５】
この場合、横壁９の下面は、ユーザの中指Ｍ及び人差し指Ｉ用の支え面３を規定する。
【００６６】
首部１４は、該首部の頂端１８から該首部の略半分の長さにわたり延在する外側ネジ山１９を有している。
【００６７】
首部１４の外側表面には上記ネジ山１９の下部に、機能を後述する環状帯部２２が形成されている。
【００６８】
首部１４は軸Ｘの周りの円形対称な内側表面を有し、該内側表面は該首部の頂端１８の近傍に内側に向かう小さな段部１４ａを備えている。
【００６９】
当該装置１は、上記首部１４上に螺合された調整部材３０を有している。
【００７０】
調整部材３０は、外側組立スカート３１と、首部１４の内側に係合する内側スカート４０とを有し、これら２つのスカート３１及び４０は同軸的であって、これらの頂端において横壁３２により一体化されている。
【００７１】
上記組立スカート３１は、上記横壁３２から該スカートの長さの約２／３にわたり内側ネジ山を有する一方、下端には径方向の内側表面に止め部３６を有している。該止め部は、弾性変形により当該首部１４上の前記帯部２２を通過することができるような形状となっている。
【００７２】
止め部３６は、これら止め部が上記帯部２２の下面に軸Ｘに対して略垂直に当接するようにして、組立スカート３１が完全にネジ抜きされてしまうのを防止するように規定されている。
【００７３】
内側スカート４０は、首部１４の内側表面に対して該首部の頂端１８の近傍で漏れ防止態様で接触するように拡大された上部４３を有している。
【００７４】
首部１４上で調整部材３０をねじ込み又はねじ抜きすることにより、内側スカート４０は該首部の内側で軸方向に移動される。
【００７５】
上記上部４３の長さは、調整部材３０が首部１４上に横壁３２が該首部の端部１８に接触するように完全にねじ込まれるか、又は該調整部材が止め部３６が帯部２２に当接するようになるまで一杯にネジ抜きされるかに拘わらず、全調整行程にわたり首部１４の内側表面と漏れ防止的接触を維持するように選定されている。
【００７６】
内側スカート４０は小径の下部４１により上記の拡大された上部４３を越えて下方に延長されており、内部に長さ方向の開口を備えると共に、本発明の趣旨における係止面を規定する下端４２を有している。
【００７７】
ベローズ６が圧縮されると、内側スカート４０は下端４２を介して前記横壁９に接触するようになり、該横壁の上面５９は本発明の趣旨における当接形成面を規定するものである。
【００７８】
横壁３２は、軸Ｘに平行な軸Ｙ上に配され、且つ、上方に向けられた環状の唇部４６により囲まれた偏心されたオリフィス４５を有している。
【００７９】
横壁３２上において、調整部材３０はディスペンサ端部部品５０を受け入れるためのハウジングを規定するような周壁４７を有している。
【００８０】
上記オリフィス４５から遠い側において、上記周壁４７は開口４９を規定しており、該開口はユーザが端部部品５０を後に詳述するように押下するのを可能にする。
【００８１】
記載された実施例において、端部部品５０は調整部材３０に対して、軸Ｘに対して垂直であって、且つ、図１の断面に対して垂直な回動軸の廻りにヒンジ結合されている。
【００８２】
端部部品５０は、前記環状唇部４６が軸Ｙに沿って移動することができるに係合するようなハウジング５４を有している。
【００８３】
該ハウジング５４の端壁には、当該端部部品が図１に示すような閉じた位置にある場合に上記唇部４６により規定される通路を漏れ防止態様で閉じるように、閉止スタッド５８が形成されている。
【００８４】
吐出口チャンネル５２が当該端部部品５０を介して形成されており、上記ハウジング５４と連通するようになっている。
【００８５】
この吐出口チャンネル５２の外側端部は、当該端部部品５０が閉じた位置にある場合に上記周壁４７により覆われるようになっている。
【００８６】
端部部品５０の頂面は上記開口４９の傍に支え面５１を規定し、図２に示すようにユーザが親指Ｐによりベローズ６を圧縮するのを可能にしている。
【００８７】
ユーザが上記支え面５１上に圧力を発生させると、端部部品５０は傾動を始め、これにより吐出口チャンネル５２が周壁４７から離れるのを可能にする。
【００８８】
その後、ベローズ６は、内側スカート４０が該スカートの下端４２により横壁９に当接するようになるまで変形する。
【００８９】
当該装置１の使用に先立ち、ユーザは内側スカート４０の下端４２と横壁９との間の距離ｄを、調整部材３０を回転させて首部１４上に一層多く又は一層少なくねじ込むことにより調整することができる。
【００９０】
上記調整に対応する物質の量は、例えば、首部１４上に印された目盛により知ることができ、該目盛は調整部材３０がネジ抜きされ、従ってベローズ６の圧縮行程が増加されるにつれて漸進的に露出される。
【００９１】
ベローズ６が圧縮されると、当該容器の内部容積が減じられて、物質Ａ上の空気が圧縮され、これにより物質が吐出口チャンネル５２を介して放出される。
【００９２】
図３は、上述したものとは下記の点のみで相違する容器を有するような装置１００を示している。即ち、該容器においては、首部１４上の環状帯部２２の下に、それらの間に以下に説明するような目的で環状の溝１０３を残存させる２つの玉縁１０１及び１０２が存在している。
【００９３】
該装置１００は、図１を参照して説明したものと同一の内側スカート４０と、首部１４の外側の組立スカート１３１と、外側の被覆スカート１３２とを有している。
【００９４】
内側スカート４０、組立スカート１３１及び外側スカート１３２は、頂部において横壁１３５により連結されている。
【００９５】
組立スカート１３１は、首部１４上のネジ山１９と係合する内側のネジ山１３６を有すると共に、該スカートの下端に、弾性的に変形して帯部２２並びに玉縁１０１及び１０２を通過するのに適した環状の帯部１４０を有している。
【００９６】
前述した例におけるのと同様に、帯部２２は、その下面の傾斜により、調整部材１３０が完全にネジ抜きされるのを防止する。
【００９７】
玉縁１０１及び１０２は帯部１４０により両方向に通過されることができ、該帯部は環状の溝１０３内に受け入れられる。
【００９８】
玉縁１０１又は１０２を通過する際の、きつい点がユーザに対して当該調整部材１３０の首部１４に対する軸方向位置について知らせることになる。
【００９９】
環状溝１０３は、調整部材１３０の首部１４に対する所定の軸方向位置（例えば中間の量の供給のための）に対応する。
【０１００】
横壁１３５の上において、調整部材１３０は２つの側部延長部１６０の間にディスペンサ端部部品１５０を有するが、図３においては上記延長部の一方のみが示されている。
【０１０１】
該ディスペンサ端部部品１５０は、段状の筒状壁１６１を介して横壁１３５に接続されている。
【０１０２】
この段状の筒状壁は、プラグ１７０の座部として作用する円錐状の壁１６２を介して横壁１３５に接続されている。
【０１０３】
端部部品１５０は軸Ｘに対して垂直な軸Ｚ上に吐出口チャンネル１５２を有している。
【０１０４】
段状の筒状壁１６１の内側空間と吐出口チャンネル１５２とは軸Ｘ上のオリフィス１５３を介して連通し、これにより吐出口チャンネル１５２に物質が供給されるのを可能にする。
【０１０５】
オリフィス１５３の周りには複数の結合タブ１５４が下方に延びており、各タブは下端の当該タブの径方向内側面上に止め部１５５を有している。
【０１０６】
プラグ１７０は円板１７１を有し、該円板には下方に向けられた上記円錐状の壁１６２に対して漏れ防止態様で接触するのに適したリム１７２が設けられると共に、該円板１７１から上方に延びるロッド１７４が設けられている。
【０１０７】
ロッド１７４は、前記タブ１５４の間で止め部１５５上にスナップ固定するのに適した環状の玉縁１７５を備えた拡大された下部１７６を有している。該ロッドは、更に、上記の拡大された下部１７６の上側に、オリフィス１５３の直径より大幅に小さな直径を有し、且つ、当該端部部品１５０の頂壁１５９の近傍まで延びる上部１７７を有している。
【０１０８】
休止状態においては、即ち図３に示す状態では、段状の筒状壁１６１は完全に伸展され、円板１７１は円錐状の壁１６２に対しリム１７２を介して漏れ防止態様で接触している。
【０１０９】
かくして、当該容器の内部は外側から隔離されている。
【０１１０】
端部部品１５０の頂壁１５９は、ユーザにとっての接触面を規定し、該面の高さ（レベル）は側部延長部１６０の上端より下に位置するから、該端部部品１５０は偶然に押し下げられることから防止される。
【０１１１】
側部延長部１６０は、ユーザが指を端部部品１５０上に位置させるのを容易にするのにも貢献する。
【０１１２】
物質を供給するために、ユーザは当該装置１００を頭を下にした位置にし、ディスペンサ端部部品１５０を押す。これにより、最初は段状筒状壁１６１を変形させる。記載した実施例においては、この壁はベローズ６を圧縮するのに要するよりも小さな力の付与で変形するものとする。
【０１１３】
上記筒状壁１６１の上記変形の間に、前記上部１７７は頂壁１５９に対して上端１７９を介して接触するようになり、これによりプラグ１７０を該プラグの座部から離れさせ、物質が吐出口チャンネル１５２に到達するのを可能にする。
【０１１４】
ディスペンサ端部部品１５０が一旦完全に押し込められると、該端部部品上に発生された圧力は調整部材１３０及び首部１４に伝達されるので、前述した実施例におけるのと同様に、ベローズ６は内側スカート４０の下端４２が横壁９に当接するまで圧縮される。
【０１１５】
弁を、オプションとして下端が瓶体２の底部で開口するような浸せき管と一緒に括れ部４に配置することにより、上記ベローズが膨張する毎に物質を内部空間５内に汲み入れることができることが理解されよう。
【０１１６】
図４は、底側の瓶体２０２と上側のベローズ２０６とを備えた容器を有する装置２００を示している。
【０１１７】
該容器も瓶体２０２とベローズ２０６との間に括れ部２０４を有し、この括れ部２０４は横壁２０９により上方に延長されている。
【０１１８】
ベローズ２０６の頂部は第１領域２０６ａを介して横壁２０８に接続され、該横壁は首部２１４により上方に延長され、該首部は上部に外側ネジ山２２０を有している。
【０１１９】
ベローズ２０６の底部は、第２領域２０６ｂを介して、周縁２１３から僅かに後退された位置において横壁２０９に接続され、これにより、機能を以下に述べるようなカラー２１０が残存される。
【０１２０】
当該装置２００は、外側スカート２３４を備える調整部材２３０を有し、該外側スカートは首部２１４上に螺合される内側ネジ山を有する組立スカート２３１を取り囲んでいる。
【０１２１】
該調整部材２３０は、首部２１４の内側表面に漏れ防止態様で接触するのに適した内側スカート２４０も有している。
【０１２２】
外側スカート２３４には、下端の径方向内側表面に止め部２３６が設けられている。
【０１２３】
横壁２０８の径方向外側縁部は、外側スカート２３４の内径と略一致する外径の環状リッジ２２４を有する。このリッジは、調整部材２３０が首部２１４に螺合される場合に上記止め部２３６が該リッジを容易に通過するような形状にされる一方、調整部材２３０が完全にネジ抜きされてしまうのを防止するためにＸ軸に対して略垂直な底面を有している。
【０１２４】
組立スカート２３１及び内側スカート２４０は横壁２３２により一緒に接続され、この横壁は該横壁を通過するオリフィス２４１を有している。
【０１２５】
上記オリフィスは、横壁２３２から上方に突出した環状唇部２４２により囲まれている。
【０１２６】
調整部材２３０は、上記横壁２３２上に、ディスペンサ端部部品２５０を受け入れるためのハウジングを規定する周壁２４３を有し、上記端部部品は該周壁２４３に対し図４の面に垂直で且つＸ軸に対して垂直な回動軸の廻りにヒンジ結合されている。
【０１２７】
端部部品２５０は吐出口チャンネル２５１を有し、該チャンネルの端部２５２は、図４に相当するような、該端部部品がその閉じた位置にある場合に上記周壁２４３の前に位置する。
【０１２８】
端部部品２５０は前記環状の唇部２４２が係合するハウジング２５６を有し、該ハウジングには当該端部部品２５０が閉じた位置にある場合に該環状唇部２４２により規定される通路を閉じる閉止スタッド２５７が設けられている。
【０１２９】
周壁２４３は前記端部２５２から遠い側が穿孔されており、これにより、ユーザが当該端部部品の頂面により規定される接触面２６０を押下することを可能としている。
【０１３０】
外側スカート２３４は、上記接触面２６０の傍において、丸みを帯びた壁２６１を介して上記横壁２３２に接続されるようになっており、該丸みを帯びた壁はユーザが当該装置を作動させるのを一層心地よくしている。
【０１３１】
外側スカート２３４は、ベローズ２０６が軸方向に圧縮された場合に、自身の下端２４２を介して前記カラー２１０に接触するのに適したようになっている。
【０１３２】
組立スカート２３１を首部２１４に多く又は少なくねじ込むことにより、ベローズ２０６の最大圧縮行程を決定する距離ｄを調整することが可能となる。
【０１３３】
ユーザがディスペンサ端部部品２５０を押下すると、該端部部品は回動して、前述して図１及び図２の実施例におけるのと同様に、吐出口チャンネルの端部２５２を周壁２４３の上に移動させ、次いでベローズ２０６が圧縮される。
【０１３４】
図５は、ベローズ２０６が圧縮される最後において、外側スカート２３４がカラー２１０に当接した場合の装置２００を示している。
【０１３５】
図６に示す装置３００は、カラー２１０が存在しない点が図４及び図５を参照して説明したものと相違しており、本発明の趣旨における当接形成面はユーザの指により規定されている。
【０１３６】
図７に示す装置４００は、下側の瓶体４０２と、該瓶体４０２に括れ部４０４を介して接続された上側ベローズ４０６との両方を持つ軸Ｘの周りの容器を有している。
【０１３７】
上記括れ部は横壁４０９により上方に延長されている。
【０１３８】
ベローズ４０６の頂部は第１領域４０６ａを介して横壁４０８に接続され、該横壁は首部４１４によりＸ軸の周りで延長されている。
【０１３９】
ベローズ４０６は前記横壁４０９に第２領域４０６ｂにより接続されており、該第２領域は、図４及び図５を参照して説明した装置と同様の態様で、壁４０９の周縁４１３から僅かに後退され、カラー４１０を形成している。
【０１４０】
首部４１４は、外側のネジ山を有さず、単一の環状帯部４２４のみを有する点で、上述した実施例とは相違している。
【０１４１】
該装置４００はＸ軸の周りの外側スカート４３１を有するような調整部材４３０を備え、該スカートはベローズ４０６が圧縮された場合に下端４４２を介して上記カラー４１０に接触するのに適したものとなっている。
【０１４２】
外側スカート４３１の頂部は横壁４３２に接続され、該横壁の内側は下方に向けられたリム４３３を有している。
【０１４３】
調整部材４３０は、頂部が上記横壁４３２に接続された内側スカート４３４を有し、該内側スカートはベローズ４０６に接触しないことを保証するように上記外側スカート４３１のものよりも短い軸方向長さのものとなっている。
【０１４４】
当該装置４００はディスペンサアセンブリ４６０を有し、該アセンブリは首部４１４の帯部４２４上にスナップ固定されるのに適した止め部４６５を備える組立スカート４６１と、首部４１４の径方向内側表面に対して漏れ防止態様で接触するのに適した内側唇部４６２とを有している。
【０１４５】
組立スカート４６１及び内側唇部４６２は頂部において環状壁４６３に接続され、該環状壁は、径方向で対向する２つの位置において、Ｘ軸に平行に延びる側部直立部４７０により上方に延長されている。
【０１４６】
直立部４７０には上端に外側に向かう横方向フィン４７１が設けられ、これらフィンの各々は、軸Ｘの周りに円形状を呈すると共に、前記外側スカート４３１の半径と略等しい半径のものであるような径方向外縁４７２を有している。
【０１４７】
上記フィン４７１は直線状の内側縁部を４７３有し、これら縁部は互いに対向すると共に平行であって、且つ、それらの間に図８から分かるように直立部４７０の間に配置されるディスペンサ端部部品４５０をユーザが押下するのを可能にするような間隙を残存させる。
【０１４８】
ディスペンサ端部部品４５０の構造は、図３を参照して説明した端部部品１５０のものと同一であり、該端部部品は前述した壁１６１と同一の段状の筒状壁４５５を介して上記環状壁４６３に接続されている。
【０１４９】
プラグ４５６が上記端部部品４５０に取り付けられるが、該プラグは前述したプラグ１７１と同一である。
【０１５０】
後に嵌着されるプラグ４５６は例外として、当該ディスペンサアセンブリ４６０の残部は熱可塑性プラスチックの単一の鋳物として形成される。
【０１５１】
直立部４７０は、それらの径方向外側表面に一連のリブ４７８を有し、これらリブは互いの間にＸ軸に沿って異なるレベルに位置するような溝４７６を規定する。
【０１５２】
各溝４７６の高さ、即ち２つの連続するリブ４７８の間の距離は、前記リム４３３の高さに略一致するようになっている。
【０１５３】
各リム４３３は限られた角度の扇形部を占めるようにし、調整部材４３０がディスペンサアセンブリ４６０から軸方向に外すことができるようにする。
【０１５４】
このように、調整部材４３０をディスペンサアセンブリ４６０に対して回転させることにより、ユーザは該調整部材をリム４３３が溝４７６外に位置するような位置まで移動させることができ、これにより調整部材４３０をディスペンサアセンブリ４６０に対して軸方向に移動させることができるようにする。
【０１５５】
前記内側スカート４３４が、リブ４７８の外径と略一致するような内径のものであることが分かるであろう。
【０１５６】
本実施例における調整部材４３０は、４つの異なるレベルに位置させることができ、一番下のレベルは内側スカート４３４が横壁４０８に当接することにより規定される。
【０１５７】
選択されるレベルに応じて、外側スカート４３１の下端とカラー４１０との間の距離ｄは相違し、かくして、ベローズ４０６が圧縮された場合に一層少ない量の又は一層多い量の物質を放出させることができる。
【０１５８】
図９ないし１３を参照して装置５００を以下に説明するが、この装置は下側の瓶体５０２と、括れ部５０４により相互接続された上側ベローズ５０６とを備える容器を有している。
【０１５９】
ベローズ５０６の頂部は第１領域５０６ａを介して横壁５０８に接続され、該横壁は首部５１４により上方に延長されている。
【０１６０】
ベローズ５０６の底部は、第２領域５０６ｂを介して、括れ部５０４を上方に延長した横壁５０９に接続されている。
【０１６１】
首部５１４は、直径方向で対向する２つの外側ネジ山部５２０を有している。
【０１６２】
瓶体５０２は頂部に横壁５０３を有し、該横壁は前記横壁５０９と共に環状腰部５１０を規定する。
【０１６３】
横壁５０３の周部は、後述するような機能の、径方向に対向する２つの突出部５０５を呈している。
【０１６４】
ベローズ５０６の断面は、図１１に見られるように、楕円形の形状である。
【０１６５】
装置５００はディスペンサアセンブリ５６０を有し、該アセンブリは首部５１４のネジ山部５２０に螺合された組立スカート５６１と、首部５１４の径方向内側表面に漏れ防止態様で接触する内側スカート５４０とを有している。
【０１６６】
上記組立スカート５６１及び内側スカート５４０は頂部において横壁５３２を介して接続されている。
【０１６７】
ディスペンサアセンブリ５６０は図１を参照して説明したディスペンサ端部部品と同一のディスペンサ端部部品５５０を受け入れ、上記横壁５３２上に延びるディスペンサアセンブリ５６０の部分は、前記横壁３２上に延びる前記調整部材３０の部分と同一である。
【０１６８】
装置５００は調整部材５３０を有し、該調整部材はＸ軸の周りの円筒状のスカート５３１を有している。該スカートは、その頂端部において横壁５３２に接続されており、該横壁は上記組立スカート５６１の外径に相当するような内径の中央開口５３３を有している。
【０１６９】
スカート５３１の半径方向内側表面には、下端近傍の直径方向で対向する位置に２つの止め部５３６が形成されている。
【０１７０】
図１２に見られるように、横壁５３２は中央開口５３３に臨むノッチ５３４を有し、当該調整部材５３０が首部５１４上に取り付けられる場合にネジ山部５２０を通過するのを可能にしている。
【０１７１】
前記突出部５０５はＸ軸の廻りに限られた角度の扇形にわたって延在し、且つ、図１０に見られるように、それらの間に止め部５３６の角度幅よりも大きな角度幅の間隙５８０を残存させている。
【０１７２】
調整部材５３０の瓶体５０２に対する角度位置に依存して、止め部５３６は突出部５０５に係合するか又は係合しない。
【０１７３】
このようにして、装置５００は、ベローズ５０６が圧縮され、止め部５３６が突出部５０５の下側に接する図９に示すような貯蔵状態に維持することができる。
【０１７４】
かくして、当該装置の大きさは減少され、これにより該装置を容易に包装することができる。
【０１７５】
ベローズ５０６の楕円形状により、当該容器に対する調整部材５３０の角度位置に依存して、図１３に示すように止め部５３６がベローズ５０６の折り返し部の間に係合するか、又は係合しないようにすることができる。
【０１７６】
調整部材５３０が図１３に示す位置の廻りに１／４回転分回転されると、止め部５３６は楕円断面の短軸に位置合わせされるようになり、該軸は止め部５３６がベローズ５０６から外れるのを可能にする程充分に短いので、スカート５３１は当該容器に対して自由に移動するままとされる。
【０１７７】
横壁５３２は止め部５３６を鋳型形成する場合に使用するための開口５８０を有している。
【０１７８】
組立スカート５６１は、その外側表面上に下端における２つのリブ５９２を含み一連の直径方向に対向するリブ５９０を有している。
【０１７９】
何れの側に位置するリブ５９０も対にグループ化され、それら対の間にＸ軸に沿って等間隔の３つの溝５９３を形成している。
【０１８０】
これら溝５９３の各々の幅は、上記横壁５３２の厚さよりも極く僅かに大きくなっている。
【０１８１】
リブ５９０及び５９２の角度的広がりは、ノッチ５３４のものより小さい。
【０１８２】
ノッチ５３４の径方向外側縁５９１の直径は、リブ５９０又は５９２のものより大きい。
【０１８３】
図９及び図１３の状況においては、調整部材５３０は、ノッチ５３４がリブ５９０又は５９２から１／４回転ずらされた位置にある。
【０１８４】
図９の貯蔵状況においては、ベローズ５０６は止め部５３６が突出部５０５に係合することにより膨張から防止されている。
【０１８５】
調整部材５３０は、止め部５３６を突出部５０５にスナップ固定させることにより、この位置に移動させることができ、これは自動的な製造を容易にする。
【０１８６】
物質を供給するために、ユーザは調整部材５３０を当該容器の廻りに１／４回転にわたり回転し、これによりリブ５９２をノッチ５３４に位置合わせする。
【０１８７】
次いで、ユーザは調整部材５３０を上方に移動させ、横壁５３２を溝５９３の対のうちの１つ、例えば一番下の対と同じレベルにする。
【０１８８】
その後、ユーザは調整部材５３０を再び１／４回転にわたり回転して、ノッチ５３４の間に位置する横壁５３２の領域が図１３に示すように溝５９３内に係合するようにする。
【０１８９】
この場合、止め部５３６はベローズ５０６の２つの折り返し部の間に受け入れられる。
【０１９０】
横壁５３２を受け入れる溝５９３のレベルに応じて、止め部５３６の下面５４２が本発明の趣旨における係止面を規定することにより、ベローズ５０６は異なる最大圧縮行程を有する。
【０１９１】
図１４及び図１５は、頭髪に物質を供給するために使用中の図４の装置２００を示している。
【０１９２】
人差し指及び中指が容器の括れ部を構成する腰部内に係合される該態様により、ディスペンサ端部部品を押す親指を、該ディスペンサ端部部品を頭皮に接触した状態で案内するためにも使用することが可能となり、これにより頭髪に形成された分け目を追従するのが容易となる。
【０１９３】
当然、本発明は上述した実施例に限定されるものではない。
【０１９４】
上記括れ部の存在を、取り外し可能なプラグを容器内に配置し、該プラグにより２つの成分を別々に貯蔵することを可能にすると共に、最初の使用に際して何らかの通常の手段で該プラグを移動させて上記２つの成分を一緒に混合させるのに利用することもできる。
【０１９５】
また、当該装置に破壊分離式ディスペンサ端部部品を設けることも可能である。
【図面の簡単な説明】
【０１９６】
【図１】図１は、本発明の第１実施例を構成する装置の概略軸断面図である。
【図２】図２は、図１と同様の図であり、上記装置を使用時における倒置状態で示す。
【図３】図３は、本発明の第２実施例を構成する装置を示す概略裁断斜視図である。
【図４】図４は、本発明の第３実施例を構成する装置の概略軸断面図である。
【図５】図５は、図４と同様の図であり、使用時の装置を示す。
【図６】図６は、図５と同様の図であり、本発明の第４実施例を構成する装置を示す。
【図７】図７は、本発明の第５実施例を構成する装置の一部を切除した概略裁断斜視図である。
【図８】図８は、図７の装置の頂部の概略斜視図である。
【図９】図９は、本発明の第６実施例を構成する装置の概略軸断面図である。
【図１０】図１０は、図９のＸ-Ｘ線に沿う断面図である。
【図１１】図１１は、図９のＸＩ-ＸＩ線に沿う断面図である。
【図１２】図１２は、図９のＸＩＩ-ＸＩＩ線に沿う断面図である。
【図１３】図１３は、調整部材の位置を変更した後の図９の装置を示す。
【図１４】図１４は、頭髪に物質を供給するために図４の装置がどの様に使用されるかを示す。
【図１５】図１５も、頭髪に物質を供給するために図４の装置がどの様に使用されるかを示す。
【符号の説明】
【０１９７】
１…包装及びディスペンサ装置
２…瓶体
４…括れ部
６…ベローズ
８、９…横壁
１４…首部
１９…ネジ山
２２…環状帯部
３０…調整部材
３１…組立スカート
３２…横壁
４０…内側スカート
４２…下端
４５…オリフィス
４６…環状唇部
５０…ディスペンサ端部部品
【図１】
2006043470.tif 000003
【図２】
2006043470.tif 000004
【図３】
2006043470.tif 000005
【図４】
2006043470.tif 000006
【図５】
2006043470.tif 000007
【図６】
2006043470.tif 000008
【図７】
2006043470.tif 000009
【図８】
2006043470.tif 000010
【図９】
2006043470.tif 000011
【図１０】
2006043470.tif 000012
【図１１】
2006043470.tif 000013
【図１２】
2006043470.tif 000014
【図１３】
2006043470.tif 000015
【図１４】
2006043470.tif 000016
【図１５】
2006043470.tif 000017